(57)【特許請求の範囲】
【請求項１】
コート紙からなる３枚以上の紙片部が重ね合わされて１つの端辺を綴じ辺として綴じられるとともに、前記重ね合わされた紙片部が水性エマルジョン型の接着剤層によって互いに剥離可能に接着された冊子であって、
前記３枚以上の紙片部は、前記綴じ辺以外の少なくとも１つの端辺がそれぞれ互いに揃った状態で重ね合わされ、
前記接着剤層は、前記３枚以上の紙片部間において、前記紙片部の前記綴じ辺以外の端辺のうち前記互いに揃った端辺に沿う領域にて、前記紙片部の重ね合わせ方向にて隣接する紙片部間同士において前記重ね合わせ方向にて互いに重ならない位置に断続的に設けられている、冊子。
【請求項２】
請求項１に記載の冊子において、
前記紙片部が４枚以上重ね合わされて構成され、
前記接着剤層は、当該接着剤層が設けられた紙片部間に前記紙片部の重ね合わせ方向にて隣接する紙片部間に設けられた接着剤層と、該紙片部間に前記重ね合わせ方向にてさらに隣接する紙片部間に設けられた接着剤層との関係においても、前記重ね合わせ方向にて互いに重ならない位置に設けられている、冊子。
【請求項３】
請求項２に記載の冊子において、
前記接着剤層は、全ての紙片部間同士において前記重ね合わせ方向にて互いに重ならない位置に設けられている、冊子。
【請求項４】
請求項１乃至３のいずれか１項に記載の冊子において、
前記断続的に設けられた接着剤層は、断続的に並ぶ方向の幅が５ｍｍ以上である、冊子。
【発明の詳細な説明】
【技術分野】
【０００１】
本発明は、３枚以上の紙片部が重ね合わされて１つの端辺を綴じ辺として綴じられるとともに、水性エマルジョン型の接着剤層によって紙片部が互いに剥離可能に接着された冊子に関し、特に、不用意な剥離を回避しながらも、剥離時における紙破れを抑制する技術に関する。
【背景技術】
【０００２】
従来、商品の広告、販売促進等の手段としてダイレクトメールが利用されている。ダイレクトメールは、差出人が受取人に通知したい情報が文字や画像として所定の用紙に印字されており、近年では、このようなダイレクトメールの１つの形態として、複数の紙片が重ね合わされ、冊子状に開封可能に接着されたものも用いられている。
【０００３】
このように、複数の紙片を重ね合わせて開封可能な冊子状にする場合、複数の紙片の周縁部にそれぞれ接着剤を塗布することが知られている。その際、接着剤としては、コストが安いことや、有害ガス等が発生しないことによる安全性が高いこと、さらには、ホットメルト等と比べて低温で作業が可能であることで加工がしやすい等の理由から、水性エマルジョン型の接着剤が用いられている。そして、紙片に塗布された水性エマルジョン型の接着剤を、特別な乾燥装置を用いることなく自然乾燥することによって、冊子をより製造しやすいものとなる。
【０００４】
また、上記のように製造される冊子には、ダイレクトメールに用いる絵柄等の印刷が施されるため、コート紙を用いるとより好ましいことが知られている。
【０００５】
ここで、複数の紙片が重ね合わされて１つの端辺を綴じ辺として綴じられるとともに互いに剥離可能に接着された冊子においては、綴じ辺以外の３つの端辺に沿う領域に接着剤を断続的に塗布することで、複数の紙片を剥離しやすくする技術が、例えば特許文献１，２に開示されている。特許文献１，２に記載の技術においては、綴じ辺以外の３つの端辺に沿う領域において、複数の紙片同士にて一律となる領域に接着剤を断続的に塗布することで、複数の紙片を容易に剥離して開封しやすくしている。
【先行技術文献】
【特許文献】
【０００６】
【特許文献１】特開２００６−３１５２５３号公報
【特許文献２】特開２００７−２８３５５９号公報
【発明の概要】
【発明が解決しようとする課題】
【０００７】
上述したように冊子を構成する複数の紙片を剥離可能に接着するために水性エマルジョン型の接着剤を用いた場合、接着剤を複数の紙片に塗布すると、接着剤に含まれる水分が紙片に浸透していくことになる。紙片に浸透した水分はその後乾燥することになるが、水分が乾燥しない状態で複数の紙片を剥離して冊子を開封した場合、複数の紙片が、水分が浸透した湿潤状態となっていることでその紙面強度が低下した状態となっていることから、紙片自体の層間剥離による紙破れが生じてしまうという問題点がある。特に、接着剤が塗布された複数の紙片が重ね合わされた場合、接着剤の水分がその表裏から紙片の同一の領域に浸透していくため、紙片に浸透した水分が乾燥しにくく、紙片の強度が大きく低下してしまう虞がある。
【０００８】
また、冊子を構成する紙片としてコート紙片を用いた場合、表面のコーティングによって水分が乾燥しにくく、また、接着剤が塗布された領域が接着剤によって覆われることによっても、水分が乾燥しにくくなってしまう。さらに、紙片に塗布された水性エマルジョン型の接着剤を、特別な乾燥装置を用いることなく自然乾燥させる場合においても、紙片に浸透した水分が乾燥しにくく、紙破れが生じやすくなってしまう。
【０００９】
そこで、接着剤の塗布面積を狭くすることで、接着剤の水分が紙片に浸透する量を低減することが考えられるが、その場合、接着剤の塗布面積が狭くなることで、複数の紙片が不用意に剥離してしまう可能性が高くなってしまう。
【００１０】
また、特許文献１，２に開示された技術においても、接着剤が断続的に塗布されていることで接着剤の水分が紙片に浸透する量を低減することができると考えられるものの、冊子を構成する複数の紙片のそれぞれに、複数の紙片同士にて一律となる領域に接着剤が塗布されているため、紙片の同一の領域にて接着剤の水分がその表裏から浸透していくこととなり、上記同様の問題が生じてしまう。
【００１１】
本発明は、上述したような従来の技術が有する問題点に鑑みてなされたものであって、３枚以上の紙片部が重ね合わされて１つの端辺を綴じ辺として綴じられるとともに、水性エマルジョン型の接着剤層によって互いに剥離可能に接着された構成において、不用意な剥離を回避しながらも、剥離時における紙破れを抑制することができる冊子を提供することを目的とする。
【課題を解決するための手段】
【００１２】
上記目的を達成するために本発明は、
コート紙からなる３枚以上の紙片部が重ね合わされて１つの端辺を綴じ辺として綴じられるとともに、前記重ね合わされた紙片部が水性エマルジョン型の接着剤層によって互いに剥離可能に接着された冊子であって、
前記３枚以上の紙片部は、前記綴じ辺以外の少なくとも１つの端辺がそれぞれ互いに揃った状態で重ね合わされ、
前記接着剤層は、前記３枚以上の紙片部間において、前記紙片部の前記綴じ辺以外の端辺のうち前記互いに揃った端辺に沿う領域にて、前記紙片部の重ね合わせ方向にて隣接する紙片部間同士において前記重ね合わせ方向にて互いに重ならない位置に断続的に設けられている。
【００１３】
上記のように構成された本発明においては、重ね合わされた３枚以上の紙片部は、水性エマルジョン型の接着剤層によって剥離可能に接着されている。ここで、３枚以上の紙片部は、綴じ辺以外の少なくとも１つの端辺がそれぞれ互いに揃った状態で重ね合わされているが、その端辺に沿う領域にて、接着剤層が、紙片部の重ね合わせ方向にて隣接する紙片部間同士において紙片部の重ね合わせ方向にて互いに重ならない位置に断続的に設けられているので、端辺がそれぞれ互いに揃った状態で重ね合わされているものの、水性エマルジョン型の接着剤層の水分が紙片部の同一の領域にその表裏から浸透していくことがない。それにより、紙片部に浸透した水分が乾燥しにくくなることが回避されることで、接着剤層の面積を狭くすることなく紙片部の強度の低下を抑制でき、不用意な剥離を回避しながらも、剥離時における紙破れが抑制されることになる。
【００１４】
また、紙片部が４枚以上重ね合わされて構成されているものにおいて、接着剤層が、その接着剤層が設けられた紙片部間に紙片部の重ね合わせ方向にて隣接する紙片部間に設けられた接着剤層と、この紙片部間に紙片部の重ね合わせ方向にてさらに隣接する紙片部間に設けられた接着剤層との関係においても、紙片部の重ね合わせ方向にて互いに重ならない位置に設けられていたり、さらには、全ての紙片部間同士において紙片部の重ね合わせ方向にて互いに重ならない位置に設けられていたりすれば、紙片部に浸透して貫通した水分が、他の紙片部の水分が既に浸透した領域にさらに浸透してしまうことが回避されることになる。
【００１５】
また、断続的に設けられた接着剤層の、断続的に並ぶ方向の幅が５ｍｍ以上であることで、紙片部の不用意な剥離をより回避することができる反面、紙片部に浸透する接着剤層の水分の量が多くなってしまうが、上記の構成によって、紙片部に浸透した水分が乾燥しにくくなることが回避され、剥離時における紙破れが抑制されることになる。
【発明の効果】
【００１６】
本発明によれば、３枚以上の紙片部が、綴じ辺以外の少なくとも１つの端辺がそれぞれ互いに揃った状態で重ね合わされているものの、その端辺に沿う領域にて、接着剤層が、紙片部の重ね合わせ方向にて隣接する紙片部間同士において紙片部の重ね合わせ方向にて互いに重ならない位置に断続的に設けられていることで、水性エマルジョン型の接着剤層の水分が紙片部の同一の領域にその表裏から浸透していくことがないため、紙片部に浸透した水分が乾燥しにくくなることが回避され、接着剤層の面積を狭くすることなく紙片部の強度の低下を抑制でき、不用意な剥離を回避しながらも、剥離時における紙破れを抑制することができる。
【００１７】
また、紙片部が４枚以上重ね合わされて構成されているものにおいて、接着剤層が、その接着剤層が設けられた紙片部間に紙片部の重ね合わせ方向にて隣接する紙片部間に設けられた接着剤層と、この紙片部間に紙片部の重ね合わせ方向にてさらに隣接する紙片部間に設けられた接着剤層との関係においても、紙片部の重ね合わせ方向にて互いに重ならない位置に設けられているものや、さらには、全ての紙片部間同士において紙片部の重ね合わせ方向にて互いに重ならない位置に設けられているものにおいては、紙片部に浸透して貫通した水分が、他の紙片部の水分が既に浸透した領域にさらに浸透してしまうことが回避され、上記同様に、紙片部に浸透した水分が乾燥しにくくなることが回避され、接着剤層の面積を狭くすることなく紙片部の強度の低下を抑制でき、不用意な剥離を回避しながらも、剥離時における紙破れを抑制することができる。
【００１８】
また、断続的に設けられた接着剤層の、断続的に並ぶ方向の幅が５ｍｍ以上であるものにおいては、紙片部の不用意な剥離をより回避することができる反面、紙片部に浸透する接着剤層の水分の量が多くなってしまうが、上記の構成によって、紙片部に浸透した水分が乾燥しにくくなることが回避され、剥離時における紙破れが抑制されることになる。
【図面の簡単な説明】
【００１９】
【図１】本発明の冊子の実施の一形態を示す図であり、（ａ）は表面図、（ｂ）は（ａ）に示したＡ−Ａ’断面図である。
【図２】図１に示した冊子を構成する４枚の紙片部のうち３枚の紙片部の表面の構成を示す図である。
【図３】図１に示した冊子の製造方法を説明するための図である。
【図４】図１に示した冊子によって生じる作用を説明するための図である。
【図５】本発明の冊子の他の実施の形態を示す図である。
【発明を実施するための形態】
【００２０】
以下に、本発明の実施の形態について図面を参照して説明する。
【００２１】
図１は、本発明の冊子の実施の一形態を示す図であり、（ａ）は表面図、（ｂ）は（ａ）に示したＡ−Ａ’断面図である。図２は、図１に示した冊子１を構成する４枚の紙片部１１〜１４のうち３枚の紙片部１２〜１４の表面の構成を示す図である。
【００２２】
本形態は図１に示すように、４枚の紙片部１１〜１４が重ね合わされて１つの辺が綴じ辺として綴じられるとともに、他の領域にて互いに剥離可能に接着されてなる冊子１である。
【００２３】
４枚の紙片部１１〜１４は、コート紙から構成され、長さが互いに同一であり、かつ幅が互いに異なる矩形状を有している。紙片部１１〜１４の幅は、紙片部１１〜１４の順に一定の幅ずつ広くなっている。なお、紙片部１１〜１４の長さとは、図１中縦方向の長さを言い、紙片部１１〜１４の幅とは、図１中横方向の長さを言う。紙片部１１〜１４を構成するコート紙は、上質紙と比べて一般的に透気度が高く、水を浸透させにくく乾燥させにくいという性質がある。紙片部１１〜１４の透気度は、ＪＩＳ  Ｐ  ８１１７  ガーレー式によって測定した場合に、１００〜７０００秒が好ましく、１０００〜６０００秒がより好ましく、４０００〜６０００秒がさらに好ましい。例えば、しらおいマット１１０ｋｇ（日本製紙社製）、透気度が５５００秒±５００秒のものを用いることができる。４枚の紙片部１１〜１４は、幅方向の一端辺が綴じ辺となって互いに揃えられて綴じられており、それにより、紙片部１１〜１４の綴じ辺に対向する端辺に沿う領域に段差が生じている。また、４枚の紙片部１１〜１４は、長さ方向の両端辺が互いに揃うように重ね合わされている。
【００２４】
紙片部１２〜１４の表面には、綴じ辺に沿ってライン状に接着剤層３０がそれぞれ形成されており、それにより、４枚の紙片部１１〜１４は、綴じ辺に沿う領域において、４枚の紙片部１１〜１４の重ね合わせ方向にて互いに隣接する紙片部１１〜１４と強接着されている。
【００２５】
紙片部１２〜１４の表面には、さらに、綴じ辺に対向する端辺に沿って、水性エマルジョン型の接着剤がライン状に塗布されることで接着剤層２２ｂ，２３ｂ，２４ｂが形成されているとともに、綴じ辺に直交する両端辺に沿う領域に、水性エマルジョン型の接着剤がドット状に断続的に塗布されることで接着剤層２２ａ，２３ａ，２４ａが形成されている。これにより、４枚の紙片部１１〜１４は、綴じ辺以外の端辺に沿う領域において、４枚の紙片部１１〜１４の重ね合わせ方向にて互いに隣接する紙片部１１〜１４と剥離可能に接着されている。水性エマルジョン型の接着剤としては、例えば、樹脂分が４０±１０％、水分が６０±１０％含有した酢酸ビニルエマルジョン変性体が挙げられるが、水性エマルジョン型のものであればよく、その他に例えば、酢酸ビニル樹脂、ポリエチレン樹脂、ポリスチレン樹脂、アクリル樹脂、天然ゴム系樹脂、塩化ビニル−酢酸ビニル共重合体、エチレン−酢酸ビニル共重合体、ポリエチレンテレフタレート樹脂、酢酸ビニル系エマルジョン樹脂等、水性エマルジョン・ＷＡＸ変性体のようなものが考えられる。
【００２６】
なお、接着剤層２２ａ，２２ｂ，２３ａ，２３ｂ，２４ａ，２４ｂ，３０は、それぞれ、上述したように紙片部１２〜１４の表面に形成されているものに限らず、紙片部１１〜１３の裏面に形成されていてもよい。すなわち、本形態における冊子１は、４枚の紙片部１１〜１４間に、接着剤層２２ａ，２２ｂ，２３ａ，２３ｂ，２４ａ，２４ｂ，３０が設けられた構成となっている。また、紙片部１２〜１４の表面及び紙片部１１〜１３の裏面に接着剤層がそれぞれ形成されていてもよい。ただしその場合、接着剤層の位置合わせ等が必要となるため、紙片部１２〜１４の表面と紙片部１１〜１３の裏面とのいずれか一方に形成されている方が、製造しやすい。
【００２７】
接着剤層２２ａは、紙片部１２の紙片部１１との接着面において、綴じ辺に直交する両端辺に沿う領域のそれぞれに、水性エマルジョン型の接着剤がドット状に塗布されることで断続的に３箇所形成されている。また、接着剤層２３ａは、紙片部１３の紙片部１２との接着面において、接着剤層２２ａと同様に、綴じ辺に直交する両端辺に沿う領域のそれぞれに、水性エマルジョン型の接着剤がドット状に塗布されることで断続的に３箇所形成されている。また、接着剤層２４ａは、紙片部１４の紙片部１３との接着面において、接着剤層２２ａ，２３ａと同様に、綴じ辺に直交する両端辺に沿う領域のそれぞれに、水性エマルジョン型の接着剤がドット状に塗布されることで断続的に３箇所形成されている。接着剤が塗布されるドットの径は、８〜１０ｍｍが好ましい。また、接着剤が塗布される箇所は３箇所に限らないが、紙片部１１〜１４間にはがき紙片を混入させないために、その間隔を１０ｃｍ以下とすることが好ましい。
【００２８】
また、紙片部１２に形成された接着剤層２２ａと、紙片部１３に形成された接着剤層２３ａと、紙片部１４に形成された接着剤層２４ａとは、紙片部１１〜１４の重ね合わせ方向にて互いに重ならないように、紙片部１２〜１４の幅方向に所定量ずつずれて設けられている。すなわち、接着剤層２２ａ，２３ａ，２４ａは、全ての紙片部１１〜１４間同士において、紙片部１１〜１４の重ね合わせ方向にて互いに重ならない位置に設けられている。
【００２９】
また、接着剤層２２ｂ，２３ｂ，２４ｂにおいては、それぞれ紙片部１２〜１４の綴じ辺に対向する端辺に沿う領域に形成されているものの、紙片部１１〜１４の幅が互いに異なり、綴じ辺が揃うように紙片部１１〜１４が重ね合わされていることにより、紙片部１１〜１４の重ね合わせ方向にて互いに重ならない状態となっている。
【００３０】
上記のように構成された冊子１においては、紙片部１１〜１４が、綴じ辺に沿って設けられた接着剤層３０によって強接着されているとともに、綴じ辺以外の端辺に沿う領域に設けられた接着剤層２２ａ，２２ｂ，２３ａ，２３ｂ，２４ａ，２４ｂによって互いに剥離可能に接着されているため、綴じ辺に対向する端辺が見開き辺となって、紙片部１１〜１４が互いに剥離されて綴じ辺を中心として見開かれることになる。
【００３１】
以下に、上記のように構成された冊子１の製造方法について説明する。
【００３２】
図３は、図１に示した冊子１の製造方法を説明するための図である。
【００３３】
図１に示した冊子１は、図３に示すように、４枚の連続紙４１〜４４から製造される。この４枚の連続紙４１〜４４の幅は、連続紙４１の幅が紙片部１１の幅と同一であり、連続紙４２の幅が紙片部１２の幅と同一であり、連続紙４３の幅が紙片部１３の幅と同一であり、連続紙４４の幅が紙片部１４の幅と同一である。
【００３４】
これら連続紙４１〜４４は、ロール状に巻き取られた状態から引き出され、まず、連続紙４２〜４４の表面にそれぞれ、ノズルユニット２ａ〜２ｃによって水性エマルジョン型の接着剤がドット状に塗布されることで接着剤層２２ａ，２３ａ，２４ａが形成される。ノズルユニット２ａ〜２ｃのそれぞれは、３つずつのノズル（不図示）を有し、３つのノズルの位置及び間隔が調整可能となっている。そして、連続紙４２〜４４が後に単片状に断裁されてなる紙片部１２〜１４が重ね合わされた場合に、上述したように、接着剤層２２ａ，２３ａ，２４ａが紙片部１１〜１４の重ね合わせ方向にて互いに重ならないように３つのノズルの位置がそれぞれ設定されている。
【００３５】
次に、連続紙４２〜４４の表面にそれぞれ、連続紙４２〜４４の幅方向の一方の端辺に沿ってノズル４ａによって接着剤がライン状に連続して塗布されることで接着剤層３０が形成されるとともに、連続紙４２〜４４の幅方向の他方の端辺に沿う領域に、ノズル４ｂによって水性エマルジョン型の接着剤がライン状に塗布されることで接着剤層２２ｂ，２３ｂ，２４ｂが形成される。この際、ノズル４ｂにおいては、連続紙４２〜４４が後に単片状に断裁された場合に、その搬送方向前後における紙片部間に所定のマージンを有するように接着剤を塗布することになるが、ノズル４ａと同様に、接着剤をライン状に連続して塗布してもよい。
【００３６】
次に、連続紙４１と、接着剤層２２ａ，２２ｂ，２３ａ，２３ｂ，２４ａ，２４ｂ，３０がそれぞれ形成された連続紙４２〜４４とが、接着剤層３０が形成された端辺が揃うようにして重ね合わされ、連続紙４１〜４４のそれぞれがカッター５によって単片状の紙片部１１〜１４に断裁される。
【００３７】
その後、重ね合わされた紙片部１１〜１４が、一対のローラ６ａ，６ｂによってその表裏から小さな圧力で挟持され、図１に示した冊子１が完成する。
【００３８】
以下に、上述した冊子１によって生じる作用について説明する。
【００３９】
図４は、図１に示した冊子１によって生じる作用を説明するための図であり、冊子１の一部の断面を示す。
【００４０】
図１に示した冊子１においては、上述したように、紙片部１１〜１４を互いに剥離可能に接着するために水性エマルジョン型の接着剤層２２ａ，２２ｂ，２３ａ，２３ｂ，２４ａ，２４ｂが紙片部１１〜１４間にそれぞれ設けられているため、水性エマルジョン型の接着剤層２２ａ，２２ｂ，２３ａ，２３ｂ，２４ａ，２４ｂに含まれる水分が紙片部１１〜１４に浸透していくことになる。
【００４１】
その際、接着剤層２２ｂ，２３ｂ，２４ｂにおいては、それぞれ紙片部１２〜１４の綴じ辺に対向する端辺に沿う領域に形成されているものの、紙片部１１〜１４の幅が互いに異なり、綴じ辺が揃うように紙片部１１〜１４が重ね合わされていることにより、紙片部１１〜１４の重ね合わせ方向にて互いに重ならない状態となっているが、接着剤層２２ａ，２３ａ，２４ａは、紙片部１２〜１４のそれぞれにおいて、互いに揃った端辺に沿う領域に形成されているため、紙片部１２，１３の表裏から接着剤層２２ａ，２３ａ，２４ａの水分が同一の領域に浸透していく虞がある。
【００４２】
ところが、本形態の冊子１においては、上述したように、接着剤層２２ａ，２３ａ，２４ａが、全ての紙片部１１〜１４間同士において紙片部１１〜１４の重ね合わせ方向にて互いに重ならない位置にドット状に断続的に設けられているので、図４に示すように、水性エマルジョン型の接着剤層２２ａ，２３ａ，２４ａの水分５０が紙片部１２，１３の同一の領域にその表裏から浸透していくことがなく、また、紙片部１１〜１４の水分５０が浸透した領域においては、一方の面側が接着剤層２２ａ，２３ａ，２４ａで覆われているものの他方の面側が接着剤層２２ａ，２３ａ，２４ａで覆われておらず、それにより、浸透した水分５０が乾燥しやすくなる。
【００４３】
このように、本形態の冊子１においては、紙片部１１〜１４を互いに剥離可能に接着するために水性エマルジョン型の接着剤層２２ａ，２２ｂ，２３ａ，２３ｂ，２４ａ，２４ｂが紙片部１１〜１４間にそれぞれ設けられているものの、これら接着剤層２２ａ，２２ｂ，２３ａ，２３ｂ，２４ａ，２４ｂが、全ての紙片部１１〜１４間同士において紙片部１１〜１４の重ね合わせ方向にて互いに重ならない位置に設けられているため、紙片部１１〜１４に浸透した水分が乾燥しにくくなることが回避され、それにより、接着剤層２２ａ，２２ｂ，２３ａ，２３ｂ，２４ａ，２４ｂの面積を、紙片部１１〜１４への水分の浸透を抑制するために狭くすることなく紙片部１１〜１４の強度の低下を抑制でき、不用意な剥離を回避しながらも、剥離時における紙破れが抑制されることになる。
【００４４】
なお、本形態の冊子１においては、紙片部１１〜１４の綴じ辺に直交する両端辺に沿う領域に、水性エマルジョン型の接着剤がドット状に断続的に塗布されることで接着剤層２２ａ，２３ａ，２４ａがそれぞれ形成されているが、紙片部１１〜１４の綴じ辺に直交する両端辺に沿う領域に形成される接着剤層においては、断続的であればその形状はドット状に限らない。ただし、断続的に並ぶ方向の幅が５ｍｍ以上であることが好ましく、７ｍｍ以上１５ｍｍ以下であることがより好ましい。下限値以上とすることで、紙片部の不用意な剥離をより抑制できるほどに紙片部を接着させることが可能となり、また、上限値以下とすることで、必要以上の接着剤の塗布による紙破れを抑制することが可能となる。
【００４５】
また、本形態の冊子１においては、紙片部１１〜１４の幅が互いに異なり、幅方向の一端辺が綴じ辺となって互いに揃えられて綴じられていることで、紙片部１１〜１４の綴じ辺に対向する端辺においては、段差が生じているが、紙片部１１〜１４の幅が互いに同一であることで、紙片部１１〜１４の綴じ辺に対向する端辺が揃っているものであってもよい。その場合、紙片部１１〜１４の綴じ辺に対向する端辺に沿う領域においても、接着剤層２２ｂ，２３ｂ，２４ｂを、紙片部１１〜１４の重ね合わせ方向にて互いに重ならない位置に断続的に設けることが好ましい。また、コーナーカット等の剥離開始端を設けることで、紙片部１１〜１４を見開きやすい構成としてもよい。
【００４６】
また、本形態の冊子１においては、４枚の紙片部１１〜１４の長さが互いに同一であることにより、紙片部１１〜１４が、その長さ方向の両端辺が互いに揃うように重ね合わされているが、紙片部１１〜１４の長さが互いに異なり、紙片部１１〜１４が、その長さ方向の一方の端辺のみが互いに揃うように重ね合わされたものであってもよい。また、紙片部１１〜１４の幅が互いに同一であってその長さが互いに異なり、幅方向の両端辺が互いに揃って長さ方向の両端辺が互いに揃わないように紙片部１１〜１４が重ね合わされたものであってもよい。これらの場合においても、互いに揃った端辺に沿う領域に設けられた接着剤層が、紙片部１１〜１４の重ね合わせ方向にて隣接する紙片部間同士において、紙片部１１〜１４の重ね合わせ方向にて互いに重ならない位置に断続的に設けられていることになる。
【００４７】
また、本形態の冊子１は、４枚の紙片部１１〜１４が、幅方向の一方の端辺を綴じ辺として接着剤層３０によって強接着されていることで綴じられているが、紙片部１１と紙片部１４とが連接した紙片と、紙片部１２と紙片部１３とが連接した紙片とを重ね合わせ、これらを綴じ辺となる領域にて接着して折り畳むことで冊子１を構成してもよい。また、紙片部１１と紙片部１２とが連接した紙片と、紙片部１３と紙片部１４とが連接した紙片とを重ね合わせ、これらを綴じ辺となる領域にて接着して折り畳むことで冊子１を構成してもよい。さらに、１枚の紙片をくるみ折りすることで、４枚の紙片部１１〜１４を構成してもよい。
【００４８】
（他の実施の形態）
図５は、本発明の冊子の他の実施の形態を示す図であり、一部の断面を示す。
【００４９】
図１に示した冊子１は、４枚の紙片部１１〜１４から構成されているが、少なくとも３枚の紙片部から構成されたものであれば、本願発明の構成を適用することができる。
【００５０】
３枚の紙片部から構成されたものにおいては、図５（ａ）に示すように、紙片部１１１と紙片部１１２との間に、水性エマルジョン型の接着剤層１２２ａが断続的に設けられ、また、紙片部１１２と紙片部１１３との間に、水性エマルジョン型の接着剤層１２３ａが断続的に設けられており、これら接着剤層１２２ａと接着剤層１２３ａとが、紙片部１１１〜１１３の重ね合わせ方向にて互いに重ならない位置に設けられていればよい。
【００５１】
また、図１に示した冊子１は、紙片部１１〜１４間に設けられた接着剤層２２ａ，２３ａ，２４ａが、全ての紙片部１１〜１４間同士において紙片部１１〜１４の重ね合わせ方向にて互いに重ならない位置に設けられているが、少なくとも、紙片部１１〜１４の重ね合わせ方向にて隣接する紙片部１１〜１４間同士において、接着剤層２２ａ，２３ａ，２４ａが紙片部１１〜１４の重ね合わせ方向にて互いに重ならない位置に設けられていれば、上述した作用が生じることになる。
【００５２】
例えば、図５（ｂ）に示すように、紙片部２１１〜２１４間にそれぞれ水性エマルジョン型の接着剤層２２２ａ〜２２４ａが設けられており、このうち、紙片部２１１，２１２間に設けられた接着剤層２２２ａと、紙片部２１３，２１４間に設けられた接着剤層２２４ａとは、紙片部２１１〜２１４の重ね合わせ方向にて互いに重なる位置に設けられているものの、紙片部２１１，２１２間に設けられた接着剤層２２２ａと、紙片部２１１〜２１４の重ね合わせ方向にて紙片部２１１，２１２間に隣接する紙片部２１２，２１３間に設けられた接着剤層２２３ａとが、紙片部２１１〜２１４の重ね合わせ方向にて互いに重ならない位置に設けられており、また、紙片部２１２，２１３間に設けられた接着剤層２２３ａと、紙片部２１１〜２１４の重ね合わせ方向にて紙片部２１２，２１３間に隣接する紙片部２１３，２１４間に設けられた接着剤層２２４ａとが、紙片部２１１〜２１４の重ね合わせ方向にて互いに重ならない位置に設けられていれば、水性エマルジョン型の接着剤層２２２ａ，２２３ａ，２２４ａの水分が紙片部２１２，２１３の同一の領域にその表裏から浸透していくことがなく、また、紙片部２１１〜２１４の水分が浸透した領域においては、一方の面側が接着剤層２２２ａ，２２３ａ，２２４ａで覆われているものの他方の面側が接着剤層２２２ａ，２２３ａ，２２４ａで覆われておらず、それにより、浸透した水分が乾燥しやすくなる。
【００５３】
また、４枚以上の紙片部が重ね合わされて構成されたものにおいては、接着剤層が、その接着剤層が設けられた紙片部間に紙片部の重ね合わせ方向にて隣接する紙片部間に設けられた接着剤層と、その紙片部間に紙片部の重ね合わせ方向にてさらに隣接する紙片部間に設けられた接着剤層との関係においても、紙片部の重ね合わせ方向にて互いに重ならない位置に設けられていれば、紙片部に浸透して貫通した水分が、他の紙片部の水分が既に浸透した領域にさらに浸透してしまうことを回避することができる。
【００５４】
例えば、図５（ｃ）に示すように、紙片部３１１〜３１５間にそれぞれ水性エマルジョン型の接着剤層３２２ａ〜３２５ａが設けられており、このうち、紙片部３１１，３１２間に設けられた接着剤層３２２ａと、紙片部３１４，３１５間に設けられた接着剤層３２５ａとは、紙片部３１１〜３１４の重ね合わせ方向にて互いに重なる位置に設けられているものの、紙片部３１１，３１２間に設けられた接着剤層３２２ａが、紙片部３１１〜３１５の重ね合わせ方向にて紙片部３１１，３１２間に隣接する紙片部３１２，３１３間に設けられた接着剤層３２３ａと、紙片部３１２，３１３間に紙片部３１１〜３１５の重ね合わせ方向にてさらに隣接する紙片部３１３，３１４間に設けられた接着剤層３２４ａとの関係において、紙片部３１１〜３１４の重ね合わせ方向にて互いに重ならない位置に設けられており、また、紙片部３１４，３１５間に設けられた接着剤層３２５ａについても、紙片部３１１〜３１５の重ね合わせ方向にて紙片部３１４，３１５間に隣接する紙片部３１３，３１４間に設けられた接着剤層３２４ａと、紙片部３１３，３１４間に紙片部３１１〜３１５の重ね合わせ方向にてさらに隣接する紙片部３１２，３１３間に設けられた接着剤層３２３ａとの関係において、紙片部３１１〜３１４の重ね合わせ方向にて互いに重ならない位置に設けられていれば、紙片部３１２に浸透して貫通した接着剤層３２２ａの水分が、紙片部３１４の接着剤層３２５ａの水分が既に浸透した領域にさらに浸透してしまうことを回避することができるとともに、紙片部３１４に浸透して貫通した接着剤層３２５ａの水分が、紙片部３１２の接着剤層３２２ａの水分が既に浸透した領域にさらに浸透してしまうことを回避することができる。
【００５５】
また、図１に示した冊子１は、４枚の紙片部１１〜１４から構成されているが、図５（ｄ）に示すように、５枚の紙片部４１１〜４１５、あるいはそれ以上の紙片部が重ね合わされて構成されているものにおいて、紙片部４１１〜４１５間に設けられた接着剤層４２２ａ，４２３ａ，４２４ａ，４２５ａが、全ての紙片部４１１〜４１５間同士において紙片部４１１〜４１５の重ね合わせ方向にて互いに重ならない位置に設けられている構成を採用できることは言うまでもない。
【００５６】
また、例えば、５枚の紙片部が互いに重ね合わされて１つの端辺を綴じ辺として綴じられた冊子において、３枚の紙片部のみが上述したように剥離可能に接着されているように、互いに重ね合わされて１つの端辺を綴じ辺として綴じられた紙片部のうち、少なくとも３枚の紙片部が上述したように剥離可能に接着されていれば、全ての紙片部が剥離可能に接着されている必要はない。
【符号の説明】
【００５７】
１    冊子
２ａ〜２ｃ    ノズルユニット
３ａ〜３ｃ，４ａ〜４ｃ    ノズル
５    カッター
６ａ，６ｂ    ローラ
１１〜１４，１１１〜１１３，２１１〜２１４，３１１〜３１５，４１１〜４１５    紙片部
２２ａ，２２ｂ，２３ａ，２３ｂ，２４ａ，２４ｂ，３０，１２２ａ，１２３ａ，２２２ａ，２２３ａ，２２４ａ，３２２ａ，３２３ａ，３２４ａ，３２５ａ，４２２ａ，４２３ａ，４２４ａ，４２５ａ    接着剤層
４１〜４４    連続紙
５０    水分
【図１】
0006609509.tif 000002
【図２】
0006609509.tif 000003
【図３】
0006609509.tif 000004
【図４】
0006609509.tif 000005
【図５】
0006609509.tif 000006